(57)【要約】【課題】１つのスキャン内の濃度ムラを低減し、バンド内における濃度ムラを抑制する。【解決手段】吐出口、吐出口に連通する発泡室及び発泡室内に設けられた電気熱変換素子を含むノズルが主走査方向と垂直な向きに複数並べられてなるノズル列が、主走査方向に沿って複数配列され、隣接するノズル列の間に、それらノズル列を構成する複数のノズルのそれぞれに流路を介して連通する共通液室が設けられた記録ヘッドにおいて、各ノズルの吐出口の大きさは一定であり、各ノズルの電気熱変換素子は、ノズル列中央に位置するノズルの電気熱変換素子が最小であり、ノズル列端部に近いノズルの電気熱変換素子ほど大きく、各ノズルにおけるインク吐出方向の流抵抗と共通液室方向の流抵抗との比は、ノズル列中央に位置するノズルにおいて最大であり、ノズル列端部に近いノズルほど小さい。【選択図】図５
2011079164.tif 000002
【特許請求の範囲】
【請求項１】
吐出口と、前記吐出口に連通する発泡室と、前記発泡室内に設けられた電気熱変換素子とを含むノズルが第１の方向に沿って複数並べられてなるノズル列が、前記第１の方向と直交する第２の方向に沿って複数配列され、隣接する前記ノズル列の間に、それらノズル列を構成する複数のノズルのそれぞれに流路を介して連通する共通液室が設けられた記録ヘッドにおいて、
各ノズル列を構成している各ノズルの前記吐出口の開口面積は一定であり、
各ノズル列を構成している各ノズルの前記電気熱変換素子の面積は、ノズル列中央に位置するノズルの電気熱変換素子が最小であり、ノズル列端部に近いノズルの電気熱変換素子ほど大きく、
各ノズル列を構成している各ノズルにおけるインク吐出方向の流抵抗と共通液室方向の流抵抗との比は、ノズル列中央に位置するノズルにおいて最大であり、ノズル列端部に近いノズルほど小さいことを特徴とするインクジェット記録ヘッド。
【請求項２】
各ノズル列を構成している各ノズルにおける共通液室方向の流抵抗が、ノズル列中央からノズル列端部にかけて段階的に小さくなっていることを特徴とする請求項１に記載のインクジェット記録ヘッド。
【請求項３】
前記流路の断面積が、ノズル列中央からノズル端部にかけて段階的に大きくなっていることを特徴とする請求項２に記載のインクジェット記録ヘッド。
【請求項４】
各ノズル列を構成している各ノズルにおけるインク吐出方向の流抵抗が、ノズル列中央からノズル列端部にかけて段階的に大きくなっていることを特徴とする請求項１に記載のインクジェット記録ヘッド。
【請求項５】
各ノズル列を構成している各ノズルの前記吐出口の内周面は、液体の吐出方向に沿って外広がりとなるテーパ面であって、
各ノズル列を構成している各ノズルのうち、ノズル列端部に近いノズルの前記吐出口ほど、前記テーパ面の傾斜が緩やかであることを特徴とする請求項４に記載のインクジェット記録ヘッド。
【請求項６】
前記ノズルは、前記吐出口を含む第１の吐出口部と、前記第１の吐出口部に段差を持って連続すると共に、前記第１の吐出口部の断面積より大きい断面積をもって前記発泡室に連通する第２の吐出口部とを有し、
各ノズル列を構成している各ノズルのうち、ノズル列端部に近いノズルほど前記第２の吐出口部の断面積が小さいことを特徴とする請求項４に記載のインクジェット記録ヘッド。
【請求項７】
各ノズル列を構成している各ノズルの前記電気熱変換素子のアスペクト比（第１の方向の長さ／第２の方向の長さ）が、ノズル列中央からノズル列端部にかけて段階的に小さくなっていることを特徴とする請求項１乃至請求項６のいずれかに記載のインクジェット記録ヘッド。
【発明の詳細な説明】
【技術分野】
【０００１】
本発明は、インクジェット記録装置に用いられる記録ヘッドに関するものである。
【背景技術】
【０００２】
一般的なインクジェット記録装置に用いられる記録ヘッドは、インク滴を吐出させるためのエネルギーの発生源によって２つに大別できる。一つは、吐出エネルギーの発生源としてヒーター等の電気熱変換素子を用いるものである。他の一つは、吐出エネルギーの発生源としてピエゾ素子等の圧電素子を用いるものである。いずれの記録ヘッドにおいても、電気信号によってインク滴の吐出を制御することができる。電気熱変換素子を用いる記録ヘッドは、電気熱変換素子に電圧を印加することにより、電気熱変換素子近傍のインクを瞬時に沸騰させ、沸騰時のインクの相変化により生じる発泡圧によってインク滴を吐出させる。一方、圧電素子を用いる記録ヘッドは、圧電素子に電圧を印加することにより、圧電素子を変位させ、この変位時に発生する圧力によってインク滴を吐出させる。
【０００３】
ここで、上記のいずれの方式の記録ヘッドを用いて画像を形成する場合であっても、普通紙などの低品位の記録媒体への記録においてはいわゆる低パス記録が行われ、光沢紙などの高品位の記録媒体への記録においてはいわゆる多パス記録が行われる。低パス記録とは、記録媒体上の同一の走査領域に対する記録を、例えば１〜４回の走査によって完成させる記録方式である。一方、多パス記録とは、記録媒体上の同一の走査領域に対する記録を、例えば４〜２４回の走査によって完成させる記録方式である。多パス記録では、低パス記録に比べて同一の走査領域における走査回数が多くなるので、記録ヘッドが持っているバラツキが軽減され、画像品位が向上する。
【０００４】
しかし、近年フォトプリントの需要拡大により、高品位な記録媒体に対する記録においても、印刷の高品位化のみならず、印刷速度のさらなる高速化が求められている。かかる状況の下、高品位な記録媒体に対する記録においても、印刷速度が速い低パス記録方式の採用が求められている。
【０００５】
しかしながら、吐出エネルギーの発生源に電気熱変換素子を用いた記録ヘッドにおける低パス記録方式の採用にあたって、ヘッド昇温による濃度ムラに関する新たな課題が顕在化した。これまでも、ヘッドの昇温により、吐出量が増大し、濃度ムラが発生することはよく知られていた。例えば複数枚の連続印刷で、ヘッドの蓄熱が徐々に大きくなることによって発生するページ間の濃度ムラや、スキャンの書き出しと書き終わりでヘッド温度が異なることで、隣り合うバンド間の濃度ムラが発生することがしばしばあった。これらを解消するための手段としては、ヘッド温度を検知して、大ドットと小ドットの打ち込み比率を変える方法（特許文献１）や、吐出されるインク滴の数をカウントして電気熱変換素子への電圧印加時間を短く設定する方法（特許文献２）があった。
【先行技術文献】
【特許文献】
【０００６】
【特許文献１】特開２００５−２８００６８号公報
【特許文献２】特開平８−１５６２５８号公報
【発明の概要】
【発明が解決しようとする課題】
【０００７】
しかし、上記特許文献１、２に開示されている発明は、記録ヘッドの吐出面全体の温度がほぼ均一に上昇し、ヘッド全体（各色列）の吐出量がほぼ均一に多くなってしまう場合を想定した発明であった。
【０００８】
これに対し、本件発明者らは鋭意研究の結果、新たな課題を発見した。具体的には、１回のスキャンの間に記録ヘッドの温度がノズル列方向に分布を持つことにより、ノズル列内で吐出量に分布が発生し、結果、１回のスキャン内で濃度ムラが発生してしまう、とい課題である。以下、図を用いながらそのメカニズムについて順を追って説明する。
【０００９】
図１Ａは、記録ヘッド６０が記録媒体７０上を走査（スキャン）する様子と印字される記録媒体７０の様子を示したイメージ図である。また、図１Ｂは、記録媒体７０をその裏面側から見た透視図であり、図１Ａのような記録ヘッド６０のスキャンによって行われる低パス記録（ここでは２パス記録）のイメージを示している。さらに、図１Ｂは、記録ヘッド６０の表面のノズル配置の様子も併せて示している。
【００１０】
図１Ｂに示すように、ヒーター６１、発泡室６２、流路６３、吐出口６４からなるノズルを備えた記録ヘッド６０が記録媒体７０上を複数回スキャンすることで、いくつかのスキャンの重なりであるバンド８０を形成しながら印字が行われる。このようにスキャンがなされるとき、スキャン前とスキャン後では発熱によりヘッド温度が異なることは従来から知られている。具体的には、スキャン後の方がスキャン前に比べてヘッド温度が高くなることが従来から知られている。
【００１１】
ここで新たに発見された課題は次のとおりである。低パス記録を行うことで、１回のスキャンにおいて打ち込むDUTYが多パス記録時と比べて多くなることで、スキャン中にノズル列中央の温度が高い温度分布が顕著に現れる。
【００１２】
この結果、図２に示すように、スキャン中に、ノズル列中央に対応する領域で濃度が高くなるような濃度分布が現れる。より具体的には、複数スキャン（図２では２スキャンを示す）で形成されるバンド（図２では２スキャンの重なり部を示す。）８０の中で、ヘッドスキャン方向に対して垂直方向に濃度分布が発生する。これにより、バンド８０のつなぎ部で濃度が薄い、白ムラなる新たな現象が発生する。
【００１３】
ここで、熱分布、濃度分布、ムラの発生メカニズムについてもう少し詳細に説明する。図３に示すように、断熱層である共通液室６５（図１Ｂ）に挟まれたノズル列端部では、ノズル列配列方向およびノズル列方向へ熱が拡散して放熱されていく。これに対し、ノズル列中央では、ノズル列配列方向に断熱層である共通液室があるため、放熱が不十分で蓄熱されやすい。また図示はしていないが、上記の放熱に関して、ヘッドの平面方向だけでなく、深さ方向に対しても上記と同じことが言える。これらの結果、ノズル列中央の温度が相対的に高くなり、それに追従して濃度も、ノズル列中央において濃くなる。結果として、濃度分布をもつスキャンが重ね合わされるバンド内でムラが発生する。この傾向はノズル列の配列間隔が小さくなるほど顕著であることも分かっている。
【００１４】
ここで、従来から、印字スキャンを繰り返すと、ヘッドの中央（主にノズルを備えた基板ではなく、その下層の基板支持部材）に蓄熱され、ヘッド中央が熱くなり、濃度分布が発生するという類似の課題が報告されている（特許文献３）がある。しかし、この課題と、本願発明が解決しようとする課題とが決定的に異なるのは、１スキャン中という短時間の間に、しかも熱伝導性が極めて高いノズル基板が、吐出最中に瞬間的に熱分布を持つことが原因で（図２参照）、濃度分布が発生することである。逆に言うと、その基板の瞬間的な熱分布は、連続する２つのスキャンの間の吐出休止時間内で平面方向、深さ方向に十分に放熱（熱伝導）され、熱分布は大幅に緩和される。すなわち、次スキャン時の書き出しには濃度分布はほとんどなくなるということである。
【課題を解決するための手段】
【００１５】
吐出口と、前記吐出口に連通する発泡室と、前記発泡室内に設けられた電気熱変換素子とを含むノズルが主走査方向と垂直な向きに複数並べられてなるノズル列が、前記主走査方向に沿って複数配列され、隣接する前記ノズル列の間に、それらノズル列を構成する複数のノズルのそれぞれに流路を介して連通する共通液室が設けられた記録ヘッドにおいて、各ノズル列を構成している各ノズルの前記吐出口の大きさは一定であり、各ノズル列を構成している各ノズルの前記電気熱変換素子は、ノズル列中央に位置するノズルの電気熱変換素子が最小であり、ノズル列端部に近いノズルの電気熱変換素子ほど大きく、各ノズル列を構成している各ノズルにおけるインク吐出方向の流抵抗と共通液室方向の流抵抗との比は、ノズル列中央に位置するノズルにおいて最大であり、ノズル列端部に近いノズルほど小さいことを特徴とする。
【発明の効果】
【００１６】
本発明によれば、低パス記録時に発生するスキャン内の濃度ムラが低減され、バンド内における濃度ムラが抑制される。
【図面の簡単な説明】
【００１７】
【図１Ａ】記録ヘッドが記録媒体上を走査（スキャン）する様子と印字される記録媒体の様子を示す図である。
【図１Ｂ】図１Ａに示す記録ヘッドのスキャンによって行われる低パス記録の様子を示す図である。
【図２】スキャン中に、ノズル列中央に対応する領域で濃度が高くなるような濃度分布が現れる様子を示す図である。
【図３】記録ヘッドの発熱放熱メカニズムとスキャン中の記録ヘッドの温度分布を示す図である。
【図４】本発明に係る記録ヘッドを適用可能な記録装置の一例を示す斜視図である。
【図５】実施形態１に係る記録ヘッドの構成および該記録ヘッドのスキャン書き出し時の温度分布と画像イメージ、スキャン書き終わり時の温度分布と画像イメージを示す図である。
【図６】比較例である記録ヘッドの構成および該記録ヘッドのスキャン書き出し時の温度分布と画像イメージ、スキャン書き終わり時の温度分布と画像イメージを示す図である。
【図７】実施形態２に係る記録ヘッドの構成および該記録ヘッドのスキャン書き出し時の温度分布と画像イメージ、スキャン書き終わり時の温度分布と画像イメージを示す図である。
【図８】実施形態３に係る記録ヘッドの構成および該記録ヘッドのスキャン書き出し時の温度分布と画像イメージ、スキャン書き終わり時の温度分布と画像イメージを示す図である。
【発明を実施するための形態】
【００１８】
以下、図面を参照しながら、本発明の実施形態の一例について詳しく説明する。ただし、以下の実施形態に記載されている構成要素はあくまで例示であり、本発明の範囲をそれらのみに限定する趣旨のものではない。
【００１９】
図４は、本発明のインクジェット記録ヘッド（以下「記録ヘッド」と称する。）が適用される記録装置の一例を示す概略図である。図示されている記録装置５０は、シリアルスキャン方式の記録装置であり、記録ヘッド５１と、その記録ヘッド５１にインクを供給するインクタンク（不図示）が搭載されるキャリッジ５２が軸５３、５４に沿って矢印Ａ方向（主走査方向）に往復移動する。なお、記録ヘッド５１とインクタンクは、インクジェットカートリッジを構成するものであってもよい。いずれの場合もキャリッジ５２は、キャリッジモータおよびその駆動力を伝達するベルト等の駆動力伝達機構により、主走査方向に往復駆動される。
【００２０】
記録媒体としての用紙Ｐは、記録装置５０の前端部に設けられた挿入口５５から挿入された後、その搬送方向が反転されてから、送りローラ５６によって矢印Ｂ方向（副走査方向）に搬送される。記録装置５０は、記録ヘッド５１を主走査方向に移動させつつ、プラテン上の用紙Ｐのプリント領域に向かってインク滴を吐出させる記録動作と、その記録幅に対応する距離だけ用紙Ｐを副走査方向に搬送する搬送動作とを繰り返す。この記録動作と搬送動作の繰り返しによって、用紙Ｐ上に順次画像が記録される。
【００２１】
キャリッジ５２の移動領域の一方の端部（図４では紙面左側の端部）には、キャリッジ５２に搭載された記録ヘッド５１の吐出口形成面と対向する位置に、回復系ユニット（回復処理手段）５８が設けられている。回復系ユニット５８には、記録ヘッド５１の吐出口のキャッピングが可能なキャップと、そのキャップ内を負圧状態にするための吸引ポンプなどが備えられている。回復系ユニット５８は、吐出口を覆ったキャップ内を負圧状態にすることにより、吐出口からインクを吸引排出させて、記録ヘッド５１の良好なインク吐出状態を維持すべく回復処理を行う。また、キャップ内に向かって、吐出口からインクを吐出させることによって、記録ヘッド５１の良好なインク吐出状態を維持すべく回復処理を行うこともできる。
【００２２】
以下、上記構造を有する記録装置５０に適用することを前提として、本発明の記録ヘッドの実施形態についてさらに詳しく説明する。
【００２３】
（実施形態１）
本実施形態に係る記録ヘッドは、図４に示すように、基板１、ノズル列２、共通液室３、発泡室４、電気熱変換素子(ヒーター５)および流路６を有する。図４には、本実施形態に係る記録ヘッドのスキャン書き出し時の温度分布と画像イメージ、スキャン書き終わり時の温度分布と画像イメージを併せて示してある。
【００２４】
ノズル列２は、記録ヘッドの主走査方向と直交する第１の方向に沿って並べられた複数のノズルの集合である。各ノズル列２を構成している各ノズルは、吐出口７と、吐出口７が連通する発泡室４と、発泡室内に配置されたヒーター５と、発泡室４と共通液室３とを連通させる流路６とから構成されている。さらに、ノズル列２は、記録ヘッドの主走査方向と平行な第２の方向に沿って複数配列されている。換言すれば、ノズル列２は、第１の方向と直交する第２の方向に沿って複数配列されている。
共通液室３は、隣接するノズル列２の間に挟まれている。共通液室３は、それぞれの発泡室４に供給されるインクを貯留しておくための空間であって、各流路６を介して各発泡室４に連通している。それぞれの発泡室４内に配置されたヒーター５は、電気エネルギーを熱エネルギーに変換し、インクに、該インクに発泡を生じさせるためのエネルギーを付与する。
【００２５】
ノズル列２を構成している吐出口７の開口面積は略一定（吐出量略一定）であるが、ヒーター５の面積（大きさ）は異なる。具体的には、各ノズル列２の中央から端部にかけてヒーター５の面積が段階的に大きくなっている。換言すれば、ノズル列中央に位置するノズルのヒーター５が最小であり、ノズル列端部に近いノズルのヒーター５ほど大きい。さらに、インク吐出方向の流抵抗（以下、「前方抵抗」とも称す。）と共通液室方向の流抵抗（以下、「後方抵抗」とも称す。）の比（＝前方抵抗／後方抵抗）が、ノズル列２の端部ほど小さい。換言すれば、前方抵抗と後方抵抗との比は、ノズル列中央に位置するノズルにおいて最大であり、ノズル列端部に近いノズルほど小さい。
【００２６】
次に、上記構成により濃度ムラが解消されるメカニズムについて順を追って説明する。図６に、比較例とする従来の記録ヘッドの構成および該記録ヘッドのスキャン書き出し時の温度分布と画像イメージ、スキャン書き終わり時の温度分布と画像イメージを示す。この記録ヘッドでは、各ノズル列１２を構成している吐出口１７の開口面積は略一定（吐出量略一定）であり、ヒーター１５の大きさも略一定である。さらに、前方抵抗と後方抵抗も略一定（＝前方抵抗／後方抵抗＝１）である。
【００２７】
図６に示すように、比較例では、スキャン書き出し時におけるノズル列方向の温度分布はほぼ均一である。しかし、スキャン中にノズル列方向中央の温度が端部に比べて相対的に上昇している。温度が上昇したノズル列方向中央ではインクの吐出量が増加し、画像イメージ中の対応領域の濃度が濃くなる。結果、図６に示すスキャン書き終わり時の画像イメージのような濃度ムラが発生する。この点は既に説明したとおりである。
【００２８】
上記のような課題に対する対策としては、大きく分けて次の２つの方法が考えられる。１つは、ノズル列中央の放熱経路を充実させるなどして、ノズル列中央の温度を下げることで、ノズル列中央の温度を端部の温度に近づける方法である。他の１つは、放熱経路はそのままで、ノズル列端部の熱を積極的に上昇させることで、ノズル列端部の温度を中央の温度に近づける方向である。
【００２９】
本発明は、上記２つの方法のうち、後者の方法に基づいてなされたものである。すなわち、図５に示すように、ノズル列端部のヒーター５をノズル列中央のヒーター５に比べて相対的に大きくすることによって、ノズル列端部の発熱量を積極的に上昇させるものである。換言すれば、放熱性に優れるノズル列端部において、その放熱に負けない発熱をさせることで、ノズル端部と中央の温度差を緩和するものである。その結果、図５のスキャン書き終わり時の画像イメージに示すように、ノズル列端部に対応する領域の濃度が濃くなり、全体的に均一な濃度分布を得ることができる。
【００３０】
しかし、ノズル列端部と中央でノズル形状を同じくしたまま、ノズル列端部のヒーター５を大きくすると、ノズル列端部だけ吐出速度が増大してしまう。結果、ノズル列端部のヒーター５を相対的に大きくすることで、ノズル列内におけるスキャン中の温度上昇を略均一に維持できたとしても、ノズル列端部の吐出口７から吐出されるインク滴の着弾ドット形状だけが異なり、スジやムラが発生する。これを防ぐためには、ノズル列端部に近いノズルほどその吐出効率を下げることが必要となる。すなわち、前方抵抗と後方抵抗の比（＝前方抵抗／後方抵抗）を、ノズル列端部に近いノズルほど小さくする必要がある。
【００３１】
そのために、本実施形態に係る記録ヘッドでは、ノズル列端部ほど流路６の断面積を大きくすることで、後方抵抗を下げ、発泡時に流路方向へ発泡圧が逃げやすくなる構成とした。これにより、ノズル列端部ほど吐出効率が下がり、結果としてノズル列内における吐出速度が略一定に維持される。なお、図５には、流路６の幅を広げることで流路６の断面積を大きくした例を示してあるが、流路６の高さを高くして断面積を大きくしてもよい。
【００３２】
また、図示はしていないが、ノズル列２内のヒーター５の電気抵抗を均一にすると、列内のヒーター５に接続される配線を共通化でき、電気回路上シンプルな構成とすることができるため、シュリンクによるコストダウンをしやすい。そのため、サイズが大きいヒーター５ほどアスペクト比を小さくし、ノズル列２内の全てのヒーター５の抵抗値を同一することが好ましい。ここで、ヒーター５のアスペクト比とは、ヒーター５の第２の方向の長さと、第１の方向の長さとの比（第１の方向の長さ／第２の方向の長さ）を意味する。換言すれば、ヒーター５の主走査方向の長さと、ノズル列方向の長さとの比を意味する。
【００３３】
（実施形態２）
以下、本発明の記録ヘッドの実施形態の他例について説明する。もっとも、本実施形態に係る記録ヘッドの基本構成は、実施形態１に係る記録ヘッドのそれと共通である。そこで、重複する説明は極力省略し、実施形態１に係る記録ヘッドとの相違点についてのみ以下に説明する。
【００３４】
図７に、本実施形態に係る記録ヘッドの構成および該記録ヘッドのスキャン書き出し時の温度分布と画像イメージ、スキャン書き終わり時の温度分布と画像イメージを示す。
【００３５】
本実施形態に係る記録ヘッドにおいても、ノズル列端部のヒーター５を中央のそれに比べて大きくすることによって、全体的に均一な濃度分布が得られるようにしてある。
【００３６】
また、本実施形態に係る記録ヘッドについても、ノズル列端部ほど吐出効率を下げる必要がある。そのため、本実施形態に係る記録ヘッドでは、各ノズルの吐出口７の内周面７ａを液体の吐出方向に沿って外広がりとなるテーパ面にすると共に、ノズル列端部に位置する吐出口７ほど、内周面７ａのテーパ（傾斜）を小さくしてある。これにより、吐出方向の流抵抗が相対的に大きくなる。結果、ノズル列端部ほど、発泡時に吐出方向へ発泡圧が流れ難くなり、吐出効率が下がる。すなわち、ノズル列内の吐出速度、吐出量が略一定に維持される。なお、好ましいヒーター５のアスペクト比については、実施形態１で述べたとおりである。
【００３７】
（実施形態３）
以下、本発明の記録ヘッドの実施形態の他例について説明する。もっとも、本実施形態に係る記録ヘッドの基本構成は、実施形態１に係る記録ヘッドのそれと共通である。そこで、重複する説明は極力省略し、実施形態１に係る記録ヘッドとの相違点についてのみ以下に説明する。
【００３８】
図８に、本実施形態に係る記録ヘッドの構成および該記録ヘッドのスキャン書き出し時の温度分布と画像イメージ、スキャン書き終わり時の温度分布と画像イメージを示す。
【００３９】
本実施形態に係る記録ヘッドにおいても、ノズル列端部のヒーター５をノズル列中央のそれに比べて大きくすることによって、全体的に均一な濃度分布が得られるようにしてある。
【００４０】
また、本実施形態に係る記録ヘッドでは、各ノズルに、吐出口７を含む第１の吐出口部７ｂと、第１の吐出口部７ｂに段差をもって連続すると共に、第１の吐出口部７ｂの断面積より大きな断面積をもって発泡室４に連通する第２の吐出口部７ｃとを設けてある。
【００４１】
ここで、本実施形態に係る記録ヘッドについても、ノズル列端部ほど吐出効率を下げる必要がある。そのため、本実施形態に係る記録ヘッドでは、ノズル列端部ほど、第２の吐出口部７ｃを小さく形成してある。これにより、ノズル列端部ほど、発泡時に吐出方向へ発泡圧が流れ難くなり、吐出効率が下がる。結果、ノズル列内の吐出速度、吐出量が略一定に維持される。なお、好ましいヒーター５のアスペクト比については、実施形態１で述べたとおりである。
【符号の説明】
【００４２】
５０  記録装置
５１  ガイド軸
５２  ガイド軸
５３  キャリッジ
５４  インクタンク
５５  挿入口
５６  送りローラ
５７  プラテン
５８  回復系ユニット
【図１Ａ】
2011079164.tif 000003
【図１Ｂ】
2011079164.tif 000004
【図２】
2011079164.tif 000005
【図３】
2011079164.tif 000006
【図４】
2011079164.tif 000007
【図５】
2011079164.tif 000008
【図６】
2011079164.tif 000009
【図７】
2011079164.tif 000010
【図８】
2011079164.tif 000011